(57)【要約】【課題】冷却ユニットの包装装置の底面カバー材の破損を未然に防止する。【解決手段】冷却ユニット１の包装装置は、ベースアングル６上に冷却用機器を設置して成るものであって、ベースアングル６が載置され、底壁２１と周囲側壁２２から成る底面カバー材２０と、この底面カバー材２０の底壁２１下面に所定の間隔を存して取り付けられた複数のゲタ材２８とを設ける。ゲタ材２８は、底面カバー材２０の側壁２２外面よりも内側に位置して取り付けられると共に、側壁２２内側に進入可能な寸法を有している。【選択図】　　　図４
2004106921.tif 000002
【特許請求の範囲】
【請求項１】
ベースアングル上に冷却用機器を設置して成る冷却ユニットの包装装置であって、
前記ベースアングルが載置され、底壁と周囲側壁から成る底面カバー材と、
該底面カバー材の底壁下面に所定の間隔を存して取り付けられた複数のゲタ材とを備え、
前記ゲタ材は、前記底面カバー材の側壁外面よりも内側に位置して取り付けられ、且つ、当該側壁内側に進入可能な寸法を有していることを特徴とする冷却ユニットの包装装置。
【請求項２】
前記底面カバー材の底壁上面に取り付けられた補強材を備え、
前記ゲタ材と補強材の高さ寸法の和が、前記底面カバー材の底壁上面から側壁上端までの寸法よりも大きくなることを特徴とする請求項１の冷却ユニットの包装装置。
【請求項３】
前記補強材は前記底面カバー材上面の周辺部に取り付けられると共に、前記ゲタ材と交差する方向の前記補強材は、前記ゲタ材と同一の方向の補強材よりも高いことを特徴とする請求項２の冷却ユニットの包装装置。
【請求項４】
前記ベースアングルの縁部には把手が設けられ、当該把手に対応する位置の前記底面カバー材の側壁には切欠が形成されていることを特徴とする請求項１、請求項２又は請求項３の冷却ユニットの包装装置。
【発明の詳細な説明】
【０００１】
【発明の属する技術分野】
本発明は、例えばプレハブ冷凍・冷蔵庫などに採用される天井置型の冷却ユニットの如く、ベースアングル上に冷却用機器を設置して成る冷却ユニットを包装するための包装装置に関するものである。
【０００２】
【従来の技術】
従来より例えばプレハブ冷凍・冷蔵庫に取り付けられる冷却ユニットは、厚肉鋼板製のベースアングル上に冷凍サイクルを構成する冷却用機器である圧縮機や凝縮器を設置して構成されている。また、このベースアングル上には断熱性の冷却器箱体も前記圧縮機や凝縮器などと共に並設され、この冷却器箱体内には、これも冷凍サイクルを構成する冷却用機器である冷却器やこの冷却器と熱交換した冷気を前記プレハブ冷凍・冷蔵庫の庫内に循環させるための送風機（冷却用機器）が取り付けられる。
【０００３】
このような冷却ユニットを搬送の際に包装（梱包）する場合、従来では冷却ユニットを強化段ボール製の箱内に収納し、バンドで結束する方法が採られていた（特許文献１参照）。
【０００４】
即ち、従来より冷却ユニットを包装する際には、先ず、底面カバー材の底壁上に冷却ユニットを載置した後、縦壁材を冷却ユニット周囲のベースアングル上に載置させる。このとき、縦壁材の下端部はベースアングルの把手の内側に係合させている。この把手によって縦壁材の位置決めが成されると共に倒れ防止が成されている。
【０００５】
該縦壁材の高さは圧縮機や凝縮器、冷却器箱体より高く設計されており、この状態で圧縮機や凝縮器、冷却器箱体と縦壁材の上面間には上面に開放した空間が構成され、この空間に冷却ユニットの付属品箱が収納される。その後、縦壁材の上面を、上面カバー材により塞ぎ、その状態で、上面カバー材から縦壁材、底面カバー材にバンドが掛け渡されると共に、締め付けられて全体が共に結束されていた。これにより、冷却ユニットの倉庫での保管時や輸送の際に複数段積み重ねた場合にも、圧縮機や凝縮器、冷却器箱体自体に荷重が加わって損傷を生じる危険性を防止していた。
【０００６】
また、底面カバー材の下面には底面カバー材の長手方向に渡って所定の間隔でゲタ材（強化段ボール製）が複数列設けられると共に、ゲタ材は底面カバー材の底壁に接着剤にて接着されていた。そして、この底面カバー材の下面に設けられたゲタ材間に、フォークリフトのフォークなどの搬送用機器を挿入することにより、包装した冷却ユニットの移動や搬送ができるように構成されていた。
【０００７】
【特許文献１】
特開２００２−２１１６７４号公報（第６頁乃至第８頁参照。）。
【０００８】
【発明が解決しようとする課題】
しかしながら、係る従来の冷却ユニットの包装装置では、ゲタ材を底面カバー材の外方に少許出っ張らせて段ボール製の箱にものが当たらないようにしていたため、底面カバー材の底壁に接着剤にて接着されたゲタ材が剥がれて脱落してしまうという問題があった。
【０００９】
また、底面カバー材自体を保管・輸送する際には効率良く保管・搬送するために複数段積み重ねられる。しかしながら、従来では下側となる底面カバー材上に上側となる底面カバー材が当接して積み重ねられていたため、下側となる底面カバー材が潰れて破損する問題もあった。
【００１０】
本発明は、係る従来の技術課題を解決するために成されたものであり、冷却ユニットの包装装置の底面カバー材の破損を未然に防止することを目的とする。
【００１１】
【課題を解決するための手段】
本発明の冷却ユニットの包装装置は、ベースアングル上に冷却用機器を設置して成る冷却ユニットを包装するものであって、ベースアングルが載置され、底壁と周囲側壁から成る底面カバー材と、この底面カバー材の底壁下面に所定の間隔を存して取り付けられた複数のゲタ材とを備え、ゲタ材は、底面カバー材の側壁外面よりも内側に位置して取り付けられ、且つ、当該側壁内側に進入可能な寸法を有しているものである。
【００１２】
これにより、ゲタ材は底面カバー材より外方に張り出さないので、例えばゲタ材を底面カバー材の底壁下面に接着した場合にもゲタ材が底面カバー材から剥がれてしまう不都合が発生することを抑制できるようになる。また、ゲタ材を積み重ねる際には、上側となる底面カバー材に取り付けられたゲタ材が、下側となる底面カバー材の側壁内側に進入できるので、積み重ねられた底面カバー材全体の高さを低く抑えることができるようになる。これにより、複数段積み重ねた底面カバー材が高く嵩張ってしまうのを防止し、保管管理並びに輸送にかかるコストの削減を図ることができるようになるものである。
【００１３】
請求項２の発明の冷却ユニットの包装装置は、上記に加えて、底面カバー材の底壁上面に取り付けられた補強材を備え、ゲタ材と補強材の高さ寸法の和が、底面カバー材の底壁上面から側壁上端までの寸法よりも大きくなるようにしたものである。
【００１４】
これにより、底面カバー材を積み重ねた際、上側となる底面カバー材に取り付けられたゲタ材が下側となる底面カバー材に取り付けられた補強材上に載った状態で、下側となる底面カバー材の側壁上端は、上側となる底面カバー材に当接しなくなる。従って、例えば倉庫での保管時や輸送の際に底面カバー材を複数段積み重ねた場合にも、下側となる底面カバー材の側壁が上側となる底面カバー材によって潰されてしまうのを防止することができるようになるものである。
【００１５】
請求項３の発明の冷却ユニットの包装装置は、上記に加えて補強材は底面カバー材上面の周辺部に取り付けられると共に、ゲタ材と交差する方向の補強材を、ゲタ材と同一の方向の補強材よりも高くしたものである。
【００１６】
これにより、底面カバー材を複数段積み重ねた場合に、上側となる底面カバー材に取り付けられたゲタ材は、それらの両端がそれに交差する方向となっている下側の底面カバー材に取り付けられた補強材上面に当接することになる。従って、底面カバー材を複数段安定して積み重ねることができるようになるものである。
【００１７】
請求項４の発明の冷却ユニットの包装装置は、上記各発明に加えて、ベースアングルの縁部には把手が設けられ、当該把手に対応する位置の底面カバー材の側壁には切欠を形成したものである。これにより、底面カバー材内に冷却ユニットを載置した状態で切欠部から容易に把手を持つことができるようになり、底面カバー材内への冷却ユニットの収納並びに取り出し作業が極めて容易となるものである。
【００１８】
【発明の実施の形態】
以下、図面に基づき本発明の実施形態を詳述する。図１は本発明の包装装置を適用する冷却ユニット１を備えたプレハブ冷凍・冷蔵庫５０の正面図、図２は冷却ユニット１の斜視図、図３は本発明の包装装置を構成する底面カバー材２０の斜視図をそれぞれ示している。
【００１９】
実施例の冷却ユニット１は、プレハブ冷凍・冷蔵庫（冷凍、若しくは、冷蔵、或いは、冷凍及び冷蔵の温度域にて使用されるプレハブ低温庫）５０の天井に設置され、庫内を冷却するための天井置型の冷却装置である。このプレハブ冷凍・冷蔵庫５０は、断熱パネルを組み合わせて箱状に形成された断熱箱体５２によって構成されており、この断熱箱体５２内には、貯蔵室（庫内）が構成されている。
【００２０】
断熱箱体５２の前壁には貯蔵食品等の物品を出し入れする物品出入口、及び、この物品出入口の一側に回動自在に枢支された断熱扉５３が設けられている。尚、５４はこの断熱扉５３を開閉するハンドルである。断熱箱体５２の天壁には図示しない矩形状の開口が形成され、この開口を上から閉塞する形で冷却ユニット１のベースアングル６が取り付けられる。このベースアングル６上には、後述する冷却器箱体９が設置される位置に、断熱箱体５２の天壁に形成された開口に合致する開口が形成され、冷却器箱体９内と貯蔵室内とを連通する。
【００２１】
冷却ユニット１は、長方形状を呈した厚肉鋼板製のベースアングル６と、このベースアングル６上に設置された冷却用機器としての圧縮機７、凝縮器８などから構成されている。このベースアングル６上には更に断熱性で略矩形状の前記冷却器箱体９が並設され、この冷却器箱体９内には図示しないが冷却用機器としての冷却器と、この冷却器と熱交換した冷気をプレハブ冷凍・冷蔵庫５０の貯蔵室内に循環させるための送風機などが収納取り付けされている。
【００２２】
前記圧縮機７、凝縮器８及び冷却器は図示しない減圧装置と共に周知の冷凍サイクルを構成する。また、ベースアングル６の両側縁部には把手１３がそれぞれ二つずつ取り付けられている。これらの冷却用機器が収納取り付けされるベースアングル６は、縦長略矩形状を呈しており、把手１３はベースアングル６の長手方向両側の縁部６Ａに取り付けられている。尚、図中１４は電装部品を収納した電装箱である。
【００２３】
一方、冷却ユニット１を包装する本発明の包装装置は、強化段ボール製の底面カバー材２０と、これも強化段ボール製で縦長略矩形筒状に形成された縦壁材３０と、この縦壁材３０の上面を覆うことができる寸法の上面カバー材３１と、結束具としてのバンド３２とから構成されている。
【００２４】
底面カバー材２０は、ベースアングル６より所定寸法大きな縦長略矩形状の底壁２１と、この底壁２１の周囲に設けられた周囲側壁２２とから構成されている。周囲側壁２２は、底壁２１の長辺縁部を上方に略直角に折曲して構成された長側壁（長辺）２２Ａ、２２Ａと、短辺縁部を上方に略直角に折曲して構成され、これら長側壁２２Ａ、２２Ａの両側をそれぞれ連結するかたちで固定された短側壁（短辺）２２Ｂ、２２Ｂとから構成されている。各短側壁２２Ｂ、２２Ｂの両端部には接着辺２２Ｃ、２２Ｃが折曲形成されており、この接着辺２２Ｃは、長側壁２２Ａと平行とされ、長側壁２２Ａの両端部に外側から接着剤（若しくは鋲）によって固定されている（図３中××印部）。
【００２５】
即ち、底面カバー材２０は、冷却ユニット１のベースアングル６を収容可能な寸法を有する略長方形状を呈しており、その周縁部には上向きの周囲側壁２２が起立形成されている。また、底面カバー材２０の底壁２１下面には強化段ボール製のゲタ材２８が接着剤によって複数（実施例では４本）取り付けられている。このゲタ材２８は、角柱形状或いは角筒形状に形成された複数（実施例では３個）の基材２８Ａと、これら基材２８Ａの底面を連結する平板状の連結部材２８Ｂとから構成されており、フォークリフトのフォークが挿入可能な所定の間隔を存して、それぞれ底面カバー材２０の短辺方向に渡って取り付けられている。
【００２６】
この場合、各ゲタ材２８の長手方向の寸法は底面カバー材２０内に進入可能な寸法とされると共に、底面カバー材の長手方向における両側に位置するゲタ材２８、２８は、底面カバー材２０の周囲側壁２２（この場合、両短側壁２２Ｂ、２２Ｂ）内面よりも所定寸法内側に位置して接着固定される。また、各ゲタ材２８・・・の長手方向の端部も底面カバー材２０の周囲側壁２２（この場合、両長側壁２２Ａ、２２Ａ）内面よりも所定寸法内側に位置して接着固定されている。これにより、底面カバー材２０を複数段積み重ねる際、上側となる底面カバー材２０のゲタ材２８が、下側となる底面カバー材２０の周囲側壁２２内側に進入可能となる。尚、ゲタ材２８の両端に周囲側壁２２（両長側壁２２Ａ、２２Ａ）より内側に傾斜する傾斜辺を設け、ゲタ材２８を周囲側壁２２内側に進入し易くしても差し支えない。これにより、底面カバー材２０を複数段積み重ねる場合にも、上側の底面カバー材２０のゲタ材２８を下側の底面カバー材２０の周囲側壁２２内側に進入させることができるようになる。
【００２７】
また、係る取り付け構造であることにより、各ゲタ材２８・・・は底面カバー材２０の周囲側壁２２の外面よりも内側となる。従って、ゲタ材２８・・・が底面カバー材２０から外方に出っ張らなくなるので、ゲタ材２８がものに当たって底面カバー材２０から剥がれてしまう不都合を防止若しくは抑制できるようになる。
【００２８】
また、底面カバー材２０の底壁２１上面には補強材２９（これも強化段ボール製）が接着剤にて接着固定され、この補強材２９は底面カバー材２０上面の周辺部に位置している。補強材２９は、二本の長補強材（長辺）２９Ａ、２９Ａと二本の短補強材（短辺）２９Ｂ、２９Ｂとから構成されており（この実施例では何れも同じ高さ寸法）、長補強材２９Ａは底面カバー材２０の長手方向の両端に渡って、短辺方向における両側に配置されている。また、短補強材２９Ｂは長補強材２９Ａ、２９Ａ間において底面カバー材２０の短辺方向に渡って設けられると共に、底面カバー材２０の長手方向における両端に配置されている。
【００２９】
以上の構成で冷却ユニット１を包装する際には、先ず、冷却ユニット１の把手１３を持ってその長手方向と底面カバー材２０の長手方向とを合わせ、底面カバー材２０上方に冷却ユニット１を位置させる（図４）。次に、底面カバー材２０の周囲側壁２２内に冷却ユニット１を降下させ、補強材２９（長補強材２９Ａ、２９Ａ及び短補強材２９Ｂ、２９Ｂ）内側に挿入してベースアングル６を底壁２１上に載置する（図５、図６）。
【００３０】
次に、縦壁材３０を底面カバー材２０の底壁２１上（若しくは補強材２９上）に載置する。縦壁材３０は、強化段ボールにて筒形に形成されており、この状態で圧縮機７や凝縮器８、電装箱１４や冷却器箱体９の周囲を囲繞する。
【００３１】
この縦壁材３０の高さは圧縮機７や凝縮器８、冷却器箱体９より高く設計されており、この状態で圧縮機７や凝縮器８、冷却器箱体９と縦壁材３０の上面間には上面に開放した空間が構成される。そして、図示しないが冷却ユニット１の付属品箱が冷却器箱体９上に載置され収納される。その後、縦壁材３０の上面を、これもまた強化段ボールにて構成された上面カバー材３１により塞ぎ、その状態で、上面カバー材３１から縦壁材３０、底面カバー材２０にバンド３２（底面カバー材２０の長手方向両端近傍及び中央部の例えば３本。それ以上の本数、それ以下の本数でもよい。また、これに加えて底面カバー材２０の長手方向にもバンド３２を掛け渡してもよい。）を掛け渡し、締め付けて全体を共に結束する（図７）。尚、上面カバー材３１は底面カバー材２０からゲタ材２８及び補強材２９を除いた形状と略同等の形状を呈している。
【００３２】
係る縦壁材３０は、圧縮機７や凝縮器８、冷却器箱体９よりも上方に延在するので、包装（梱包）した状態で複数段積み重ねる場合に、上側となる冷却ユニット１の荷重は縦壁材３０が受けとめる。従って、倉庫での保管時や輸送の際に包装装置で包装した冷却ユニット１を複数段積み重ねた場合などでも、圧縮機７や凝縮器８、冷却器箱体９自体に荷重が加わって損傷を生じる危険性が無くなる。
【００３３】
また、底面カバー材２０にはゲタ材２８が接着されて搬送用の機器を挿入可能な形状とされているので、保管や輸送のために搬送する際にも支障が生じない。更に、冷却器箱体９と縦壁材３０上面間に付属品箱を収納しているので、付属品も縦壁材３０内に同梱することが可能となると共に、複数段積み重ねた際にこの付属品箱に荷重が加わることもなくなる。これにより、付属品が損傷を受けることも防止することができる。
【００３４】
ここで底面カバー材２０に関しては、図８、図９に示す如くゲタ材２８の高さ寸法（図中矢印Ａ、この場合、底面カバー材２０の底壁２１下面からゲタ材２８の下面までの寸法）と補強材２９の高さ寸法（図中矢印Ｃ）との和が、底面カバー材２０の底壁２１上面から周囲側壁２２上端までの寸法（図中矢印Ｂ）よりも大きくなるように設計されている。そして、底面カバー材２０は、前述したようにゲタ材２８を底面カバー材２０の周囲側壁２２内に挿入可能に構成されており、底面カバー材２０を複数段積み重ねて保管する場合は、底壁２１下面が補強材２９の上面に当接して載置されることになる。
【００３５】
これにより、複数段積み重ねた際に下側となる底面カバー材２０の周囲側壁２２上端と上側となる底面カバー材２０との底壁２１とは接触しなくなる。即ち、複数段積み重ねた下側の底面カバー材２０の底壁２１上に設けた補強材２９の高さ寸法（図中矢印Ｃ）と載置された上側の底面カバー材２０のゲタ材２８の高さ寸法（図中矢印Ａ）の和より、底壁２１上面から周囲側壁２２上端迄の寸法（図中矢印Ｂ）の方を小さくしているので、図１０、図１１に示すように積み重ねた下側の底面カバー材２０の周囲側壁２２が上側の底面カバー材２０の底壁２１に当接しなくなり、周囲側壁２２が上から潰されて折れ曲がってしまうなどの不都合を確実に防止することができるようになる。
【００３６】
また、前述の如くゲタ材２８を周囲側壁２２外面から出っ張らないようにしており、ゲタ材２８にものが当接することもなくなるので、底面カバー材２０に接着したゲタ材２８が剥がれてしまうなどの不都合を防止若しくは抑制することが可能となる。また、ゲタ材２８を下側となる底面カバー材２０の周囲側壁２２内側に進入させることができるので、積み重ねた底面カバー材２０全体の高さ寸法を低く抑えることができるようになる。これにより、積み重ねた底面カバー材２０・・・が高く嵩張ってしまうのを防止することが可能となり、底面カバー材２０の保管スペースを小さく抑えることができるようになる。尚、この場合、上下に隣接する上側の底面カバー材２０と下側の底面カバー材２０とを交互にずらして積み重ねることも可能である（図１２）。この場合も、積み重ねた底面カバー材２０が高く嵩張ってしまうのを防止することが可能となり、底面カバー材２０の保管スペースを小さく抑えることができる。
【００３７】
次に、図１３には本発明の他の実施例の底面カバー材２０を示している。この場合、補強材２９を構成する短補強材２９Ｂの高さ寸法を、長補強材２９Ａの高さ寸法より少許低い寸法に構成している（図１３）。尚、長補強材２９Ａの高さ寸法は前述と同様である。即ち、ゲタ材２８・・・と交差する方向（底面カバー材２０の長手方向）となる長補強材２９Ａ、２９Ａを、ゲタ材２８と同一の方向（底面カバー材２０の短辺方向）となる短補強材２９Ｂ、２９Ｂよりも高くしている。従って、図１３の如く底面カバー材２０を積み重ねた際には、上側となる底面カバー材２０のゲタ材２８の長手方向の両端がそれに交差する方向の下側となる底面カバー材２０の長補強材２９Ａ、２９Ａ上面に載置されることになる。
【００３８】
これにより、底面カバー材２０を複数段積み重ねた場合に、短補強材２９Ｂの高さ寸法のばらつきにより底面カバー材２０に浮きが発生して、不安定になってしまうことがなくなると共に、ゲタ材２８の両端が長補強材２９Ａに当接して支持されるので、底面カバー材２０を極めて安定して積み重ねることができるようになる。
【００３９】
次に、図１４には本発明のもう一つの他の実施例の底面カバー材２０を示している。この場合、底面カバー材２０の周囲側壁２２（長側壁２２Ａ）に切欠２３を形成している。この切欠２３は、長側壁２２Ａの一側から他側（接着辺２２Ｃより内側）まで切り欠かれると共に、長側壁２２Ａの上端から底壁２１側に所定寸法下まで切り欠かれている。切欠２３は、冷却ユニット１に設けられた長手方向に隣接する両把手１３、１３の位置に渡って設けられ、底面カバー材２０の周囲側壁２２内に冷却ユニット１が載置された状態で、切欠２３から把手１３・・・が上方に露出する大きさに形成されている。
【００４０】
このように、底面カバー材２０の周囲側壁２２（両長側壁２２Ａ、２２Ａ）に切欠２３を設けているので、底面カバー材２０内に冷却ユニット１を載置した状態で切欠２３から把手１３・・・を露出させ（図１５）、冷却ユニット１を底面カバー材２０内から取り出すときに容易に把手１３を持てるようにしている。従って、底面カバー材２０内への冷却ユニット１の収納と底面カバー材２０内からの取り出し作業性を大幅に向上させることができるようになる。
【００４１】
次に、図１６には本発明の更にもう一つの他の実施例の底面カバー材２０を示している。この場合も、底面カバー材２０の周囲側壁２２（長側壁２２Ａ）に切欠２４を設けている。この切欠２４は、冷却ユニット１に設けられた把手１３に対応する位置に把手１３より少許大きい幅に切り欠かれると共に、長側壁２２Ａの上端から底壁２１側に所定寸法切り欠かれている。
【００４２】
この場合も底面カバー材２０の周囲側壁２２内側に冷却ユニット１が載置された状態で、各切欠２４・・・に各把手１３・・・をそれぞれ露出させることができるようになる。これにより、冷却ユニット１を底面カバー材２０内から取り出すとき前述同様極めて容易に把手１３を持つことが可能となる。従って、底面カバー材２０内への冷却ユニット１の収納、底面カバー材２０からの取り出し作業性を大幅に向上させることができるようになる。
【００４３】
尚、実施例では縦壁材３０を筒状に形成したが、縦壁材３０は筒状に限らず断面略コ字状で且つ同一形状の二部品にて構成しても差し支えない。この場合、縦壁材３０が小さくなり取り扱いが容易となるので、縦壁材３０を底面カバー材２０上に設ける際の作業性が向上すると共に、二部品にて縦壁材を構成できるので、生産上及び管理上のコスト削減を図ることができる。また、この縦壁材３０はベースアングル６上に載置するようにしてもよい。
【００４４】
また、実施例では底壁２１、周囲側壁２２、ゲタ材２８及び補強材２９などを強化段ボールにて構成したが、それに限らず、本発明の趣旨を逸脱しない範囲で変更可能である。更に、実施例ではプレハブ冷凍・冷蔵庫５０の冷却ユニット１を包装したが、それに限らず、ベースアングル上に冷却用機器を設置して成る冷却ユニット全般に本発明は有効である。
【００４５】
【発明の効果】
以上詳述した如く本発明によれば、ベースアングル上に冷却用機器を設置して成る冷却ユニットを包装する包装装置において、ベースアングルが載置され、底壁と周囲側壁から成る底面カバー材と、この底面カバー材の底壁下面に所定の間隔を存して取り付けられた複数のゲタ材とを備え、ゲタ材は、底面カバー材の側壁外面よりも内側に位置して取り付けられ、且つ、当該側壁内側に進入可能な寸法を有しているので、ゲタ材は底面カバー材より外方に張り出さなくなる。
【００４６】
これにより、例えばゲタ材を底面カバー材の底壁下面に接着した場合にもゲタ材が底面カバー材から剥がれてしまう不都合が発生することを抑制できるようになる。また、ゲタ材を積み重ねる際には、上側となる底面カバー材に取り付けられたゲタ材が、下側となる底面カバー材の側壁内側に進入できるので、積み重ねられた底面カバー材全体の高さを低く抑えることができるようになる。これにより、複数段積み重ねた底面カバー材が高く嵩張ってしまうのを防止し、保管管理並びに輸送にかかるコストの削減を図ることができるようになるものである。
【００４７】
請求項２の発明によれば、上記に加えて、底面カバー材の底壁上面に取り付けられた補強材を備え、ゲタ材と補強材の高さ寸法の和が、底面カバー材の底壁上面から側壁上端までの寸法よりも大きくなるようにしているので、底面カバー材を積み重ねた際、上側となる底面カバー材に取り付けられたゲタ材が下側となる底面カバー材に取り付けられた補強材上に載った状態で、下側となる底面カバー材の側壁上端は、上側となる底面カバー材に当接しなくなる。従って、例えば倉庫での保管時や輸送の際に底面カバー材を複数段積み重ねた場合にも、下側となる底面カバー材の側壁が上側となる底面カバー材によって潰されてしまうのを防止することができるようになるものである。
【００４８】
請求項３の発明によれば、上記に加えて補強材は底面カバー材上面の周辺部に取り付けられると共に、ゲタ材と交差する方向の補強材を、ゲタ材と同一の方向の補強材よりも高くしたので、底面カバー材を複数段積み重ねた場合に、上側となる底面カバー材に取り付けられたゲタ材は、それらの両端がそれに交差する方向となっている下側の底面カバー材に取り付けられた補強材上面に当接することになる。従って、底面カバー材を複数段安定して積み重ねることができるようになるものである。
【００４９】
請求項４の発明によれば、上記各発明に加えて、ベースアングルの縁部には把手が設けられ、当該把手に対応する位置の底面カバー材の側壁には切欠を形成したので、底面カバー材内に冷却ユニットを載置した状態で切欠部から容易に把手を持つことができるようになり、底面カバー材内への冷却ユニットの収納並びに取り出し作業が極めて容易となるものである。
【図面の簡単な説明】
【図１】本発明の包装装置を適用する実施例の冷却ユニットを備えたプレハブ冷凍・冷蔵庫の正面図である。
【図２】本発明の包装装置を適用する冷却ユニットの斜視図である。
【図３】本発明の包装装置を構成する底面カバー材の斜視図である。
【図４】冷却ユニットを載置する状態を示す底面カバー材の斜視図である。
【図５】冷却ユニットを載置した底面カバー材の斜視図である。
【図６】同図５の底面カバー材の一部を切り欠いた図である。
【図７】冷却ユニットを包装した状態を示す包装装置の斜視図である。
【図８】底面カバー材の縦断側面図である。
【図９】図８の底面カバー材の縦断正面図である。
【図１０】積み重ねた底面カバー材の縦断側面図である。
【図１１】図１０の積み重ねた底面カバー材の縦断正面図である。
【図１２】交互にずらして積み重ねた底面カバー材の縦断正面図である。
【図１３】本発明の他の実施例の底面カバー材を積み重ねた図である。
【図１４】本発明の更にもう一つの実施例の底面カバー材に冷却ユニットを載置する状態を示す図である。
【図１５】図１４の底面カバー材に冷却ユニットを載置した状態を示す図である。
【図１６】本発明の更にまたもう一つの実施例の底面カバー材に冷却ユニットを載置した状態を示す図である。
【符号の説明】
１　冷却ユニット
６　ベースアングル
７　圧縮機
８　凝縮器
９　冷却器箱体
１３　把手
２０　底面カバー材
２１　底壁
２２　周囲側壁
２２Ａ　長側壁
２２Ｂ　短側壁
２３　切欠
２８　ゲタ材
２９　補強材
２９Ａ　長補強材
２９Ｂ　短補強材
３０　縦壁材
３１　上面カバー材
３２　バンド
５０　プレハブ冷凍・冷蔵庫
【図１】
2004106921.tif 000003
【図２】
2004106921.tif 000004
【図３】
2004106921.tif 000005
【図４】
2004106921.tif 000006
【図５】
2004106921.tif 000007
【図６】
2004106921.tif 000008
【図７】
2004106921.tif 000009
【図８】
2004106921.tif 000010
【図９】
2004106921.tif 000011
【図１０】
2004106921.tif 000012
【図１１】
2004106921.tif 000013
【図１２】
2004106921.tif 000014
【図１３】
2004106921.tif 000015
【図１４】
2004106921.tif 000016
【図１５】
2004106921.tif 000017
【図１６】
2004106921.tif 000018